【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
ゲームを提供するサーバ装置の制御方法であって、
ユーザをグループに対応付けるステップと、
ゲーム又はゲーム内のイベントの少なくとも一方に対するユーザの活動に関する情報に基づいて、当該ユーザが対応付けられたグループの活動に関する情報を判定するステップと、
前記グループの活動に関する情報に基づいて報酬を付与するグループを判定するステップと、
前記判定されたグループに対応付けられたユーザによって、他のユーザに対して、当該グループへの勧誘情報が送信されたことに応じて、報酬の価値を決定して報酬を付与するステップと、
を実現させる制御方法。
【請求項２】
請求項１に記載の制御方法において、
前記報酬を付与するステップでは、更に、前記判定されたグループに対応付けられた複数のユーザの間で、ゲーム又はゲーム内のイベントの少なくとも一方への招待情報が送信されたことに応じて、報酬の価値を決定して報酬を付与する、制御方法。
【請求項３】
請求項１又は２に記載の制御方法において、
前記報酬を付与するステップでは、更に、一のユーザによって同一のグループ内の他のユーザに対して前記ゲーム内で救援又は協力が行われたとき、前記一のユーザと前記他のユーザとの前記ゲーム内でのステータス情報の差が大きいほど前記報酬の価値を高く決定して前記報酬を付与する、制御方法。
【請求項４】
請求項１乃至３のいずれか一項に記載の制御方法において、
前記対応付けるステップでは、ユーザ操作によって同一の対象に関連付けられた複数のユーザを同一のグループに対応付ける、制御方法。
【請求項５】
請求項１乃至４のいずれか一項に記載の制御方法において、
前記グループの活動に関する情報を判定するステップでは、前記ユーザ及び当該ユーザが対応付けられたグループの、過去の活動に関する情報及び現在の活動に関する情報に基づいて、前記グループの活動に関する情報を判定する、制御方法。
【請求項６】
少なくとも１つの端末装置と通信を行うことにより当該端末装置に対してゲームを提供するサーバ装置であって、
ユーザをグループに対応付ける対応付け部と、
ゲーム又はゲーム内のイベントの少なくとも一方に対するユーザの活動に関する情報に基づいて、当該ユーザが対応付けられたグループの活動に関する情報を判定し、
前記グループの活動に関する情報に基づいて報酬を付与するグループを判定する判定部と、
前記判定されたグループに対応付けられたユーザによって、他のユーザに対して、当該グループへの勧誘情報が送信されたことに応じて、報酬の価値を決定して報酬を付与する報酬付与部と、
を備えるサーバ装置。
【請求項７】
ゲームを提供するコンピュータに、
ユーザをグループに対応付けるステップと、
ゲーム又はゲーム内のイベントの少なくとも一方に対するユーザの活動に関する情報に基づいて、当該ユーザが対応付けられたグループの活動に関する情報を判定するステップと、
前記グループの活動に関する情報に基づいて報酬を付与するグループを判定するステップと、
前記判定されたグループに対応付けられたユーザによって、他のユーザに対して、当該グループへの勧誘情報が送信されたことに応じて、報酬の価値を決定して報酬を付与するステップと、
を実行させるプログラム。
【手続補正２】
【補正対象書類名】明細書
【補正対象項目名】０００６
【補正方法】変更
【補正の内容】
【０００６】
上記課題を解決するために本発明に係る制御方法は、
ゲームを提供するサーバ装置の制御方法であって、
ユーザをグループに対応付けるステップと、
ゲーム又はゲーム内のイベントの少なくとも一方に対するユーザの活動に関する情報に基づいて、当該ユーザが対応付けられたグループの活動に関する情報を判定するステップと、
前記グループの活動に関する情報に基づいて報酬を付与するグループを判定するステップと、
前記判定されたグループに対応付けられたユーザによって、他のユーザに対して、当該グループへの勧誘情報が送信されたことに応じて、報酬の価値を決定して報酬を付与するステップと、
を実現させる。
【手続補正３】
【補正対象書類名】明細書
【補正対象項目名】０００７
【補正方法】変更
【補正の内容】
【０００７】
また、上記課題を解決するために本発明に係る制御方法において、
前記報酬を付与するステップでは、更に、前記判定されたグループに対応付けられた複数のユーザの間で、ゲーム又はゲーム内のイベントの少なくとも一方への招待情報が送信されたことに応じて、報酬の価値を決定して報酬を付与する。
【手続補正４】
【補正対象書類名】明細書
【補正対象項目名】０００８
【補正方法】変更
【補正の内容】
【０００８】
また、上記課題を解決するために本発明に係る制御方法において、
前記報酬を付与するステップでは、更に、一のユーザによって同一のグループ内の他のユーザに対して前記ゲーム内で救援又は協力が行われたとき、前記一のユーザと前記他のユーザとの前記ゲーム内でのステータス情報の差が大きいほど前記報酬の価値を高く決定して前記報酬を付与する。
【手続補正５】
【補正対象書類名】明細書
【補正対象項目名】０００９
【補正方法】変更
【補正の内容】
【０００９】
また、上記課題を解決するために本発明に係る制御方法において、
前記対応付けるステップでは、ユーザ操作によって同一の対象に関連付けられた複数のユーザを同一のグループに対応付ける。
【手続補正６】
【補正対象書類名】明細書
【補正対象項目名】００１０
【補正方法】変更
【補正の内容】
【００１０】
また、上記課題を解決するために本発明に係る制御方法において、
前記グループの活動に関する情報を判定するステップでは、前記ユーザ及び当該ユーザが対応付けられたグループの、過去の活動に関する情報及び現在の活動に関する情報に基づいて、前記グループの活動に関する情報を判定する。
【手続補正７】
【補正対象書類名】明細書
【補正対象項目名】００１１
【補正方法】変更
【補正の内容】
【００１１】
更に、上記課題を解決するために本発明に係るサーバ装置は、
少なくとも１つの端末装置と通信を行うことにより当該端末装置に対してゲームを提供するサーバ装置であって、
ユーザをグループに対応付ける対応付け部と、
ゲーム又はゲーム内のイベントの少なくとも一方に対するユーザの活動に関する情報に基づいて、当該ユーザが対応付けられたグループの活動に関する情報を判定し、
前記グループの活動に関する情報に基づいて報酬を付与するグループを判定する判定部と、
前記判定されたグループに対応付けられたユーザによって、他のユーザに対して、当該グループへの勧誘情報が送信されたことに応じて、報酬の価値を決定して報酬を付与する報酬付与部と、
を備える。
【手続補正８】
【補正対象書類名】明細書
【補正対象項目名】００１２
【補正方法】変更
【補正の内容】
【００１２】
更に、上記課題を解決するために本発明に係るプログラムは、
ゲームを提供するコンピュータに、
ユーザをグループに対応付けるステップと、
ゲーム又はゲーム内のイベントの少なくとも一方に対するユーザの活動に関する情報に基づいて、当該ユーザが対応付けられたグループの活動に関する情報を判定するステップと、
前記グループの活動に関する情報に基づいて報酬を付与するグループを判定するステップと、
前記判定されたグループに対応付けられたユーザによって、他のユーザに対して、当該グループへの勧誘情報が送信されたことに応じて、報酬の価値を決定して報酬を付与するステップと、
を実行させる。